(57)【要約】【課題】  洗浄水放出口から出る洗浄水によって内周面が確実に洗浄され、洗浄水放出口にゴミ等が入り込んでしまうおそれがなく、意匠的にもマイナス要素のない流し台を提供する。【解決手段】  排水口２を有する底面３と、該底面３と連続する内周面４と、給水手段８と連通して前記内周面４に洗浄水Ｗを供給する洗浄水放出口６と、を備え、前記洗浄水放出口６が前記内周面４の上部全周に沿って下向きに形成される。【選択図】  図６
2017082406.tif 000002
【特許請求の範囲】
【請求項１】
排水口を有する底面と、該底面と連続する内周面と、給水手段と連通して前記内周面に洗浄水を供給する洗浄水放出口と、を備え、前記洗浄水放出口が前記内周面の上部全周に沿って下向きに形成されている、流し台。
【請求項２】
前記給水手段と連通する洗浄水溜めが前記内周面の全周に沿って配設され、前記洗浄水溜めの上縁部は全周に渡って水平であり、この水平上縁部から溢れ出る洗浄水が前記洗浄水放出口から流出する、請求項１に記載の流し台。
【請求項３】
前記洗浄水放出口が、前記内周面に沿って切れ目なくつながる単一の洗浄水放出口である、請求項１又は２に記載の流し台。
【請求項４】
前記洗浄水溜めと前記洗浄水放出口とを上方から覆うカバーを備える、請求項２又は３に記載の流し台。
【請求項５】
前記給水手段と連通する流出口が前記内周面の上部全周に沿って形成され、前記流出口から流出する洗浄水を下向きに案内する洗浄水ガイドが前記内周面に沿って配設され、該内周面と前記洗浄水ガイドの下端部との間の隙間が前記洗浄水放出口とされている、請求項１乃至４のいずれかに記載の流し台。
【請求項６】
前記流出口が、前記内周面に沿って切れ目なくつながる単一の流出口である、請求項５に記載の流し台。
【請求項７】
排水口を有する底面と、該底面と連続する内周面と、給水手段と連通して前記内周面の全周に沿って配設される洗浄水溜めと、該洗浄水溜めの全周に渡って水平に位置する洗浄水放出口と、前記洗浄水溜めと前記洗浄水放出口とを上方から覆うカバーと、を備え、前記洗浄水放出口から洗浄水が溢れ出て前記内周面を伝って流れ落ちることを特徴とする流し台。
【発明の詳細な説明】
【技術分野】
【０００１】
本発明は、流し台に関するものである。本発明に係る流し台は、台所に設けられる食器等洗浄用の流し台には限定されず、洗面所に設けられる洗面用の流し台、理美容院に設けられる洗髪用の流し台、医療機関や化学実験施設等に設けられる手洗い用、医療器具洗浄用、実験器具洗浄用等の流し台、厨房や工場等で使用される産業用の流し台等、広く流し台一般に関するものである。
【背景技術】
【０００２】
流し台の一例として、特許文献１に記載されているように、洗浄用水槽の側壁の上方周辺に沿って複数個の給水口を設けたものが知られている。この文献には、複数の給水口が環状分岐給水管の内周に沿って開口され、この環状分岐給水管が洗浄用水槽の側壁上端部周囲に埋設される態様が記載されている（特許文献１の００１１段落）。そして、洗浄用水槽の側壁に髪の毛やゴミ等が付着した場合には、多数の給水口から給水することにより、洗浄用水槽の側面に付着した髪の毛やゴミ等を洗浄することができるとされている（特許文献１の００１３段落）。
【先行技術文献】
【特許文献】
【０００３】
【特許文献１】特開平１０−２３７９１３号公報
【発明の概要】
【発明が解決しようとする課題】
【０００４】
しかしながら、前記従来のものには次のような問題がある。
【０００５】
第一に、複数の給水口が洗浄用水槽の側面に横穴状に開口しているので、環状分岐給水管内に供給される水の水圧が高いと、各給水口から洗浄用水槽の内方へ向かって散水されてしまう。このため、水圧によっては、洗浄用水槽の側面に付着した髪の毛やゴミ等の洗い流しが十分に実現されない場合がある。これを避けるためには、水圧の調整が必要になる。
【０００６】
第二に、洗浄用水槽の側面に給水口が露出しているため、洗浄水が流れていないときに、ゴミや汚れが給水口の中に入り込んでしまうおそれがある。
【０００７】
第三に、洗浄用水槽の側面に給水口が露出していることは意匠的にもマイナスであり、清潔感が損なわれる等、使用者によっては気分を害するおそれもある。
【０００８】
本発明は、前記のような事情に鑑みてなされたもので、洗浄水放出口から出る洗浄水によって内周面が確実に洗浄され、洗浄水放出口にゴミ等が入り込んでしまうおそれがなく、意匠的にもマイナス要素のない流し台を提供しようとするものである。
【課題を解決するための手段】
【０００９】
前記課題を解決するため、本発明に係る流し台は、排水口を有する底面と、該底面と連続する内周面と、給水手段と連通して前記内周面に洗浄水を供給する洗浄水放出口と、を備え、前記洗浄水放出口が前記内周面の上部全周に沿って下向きに形成されていることを特徴とする（請求項１）。
【００１０】
本発明においては、給水手段から洗浄水放出口へと洗浄水が供給され、洗浄水放出口から流出する洗浄水によって内周面が洗浄される。洗浄水放出口が下向きに設けられているので、洗浄水放出口から供給される洗浄水が水圧に左右されることなく確実に流し台の内周面に沿って流れ落ちる。このため、内周面が洗浄水によって確実に洗浄される。また、洗浄水放出口が下向きであるので、洗浄水が流出していないときでも洗浄水放出口にゴミ等が入りにくい。さらに、下向きの洗浄水放出口は使用者から視認されにくい。このため、意匠的に不利な外観とはならず、使用者の気分を害することも防止できる。
【００１１】
好適な実施の一形態として、前記給水手段と連通する洗浄水溜めが前記内周面の全周に沿って配設され、前記洗浄水溜めの上縁部は全周に渡って水平であり、この水平上縁部から溢れ出る洗浄水が前記洗浄水放出口から流出する態様を例示する（請求項２）。この場合、給水手段から供給される洗浄水が洗浄水溜めに溜まり、洗浄水溜めの水平上縁部から溢れ出て前記洗浄水放出口から流出する。
【００１２】
なお、前記洗浄水放出口は、前記内周面の全周に沿って設けられていればよく、相互間に小さな間隔をおいて多数の洗浄水放出口を配設することとしてもよいし、前記内周面に沿って切れ目なくつながる単一の洗浄水放出口を配設することとしてもよい（請求項３）。後者の態様とすれば、内周面の全周に隙間なく洗浄水が供給されて好適である。
【００１３】
好適な実施の一形態として、前記洗浄水溜めと前記洗浄水放出口とを上方から覆うカバーを備える態様を例示する（請求項４）。このようにすれば、洗浄水溜めと洗浄水放出口へのゴミの入り込みが上方カバーによって防止されるとともに、意匠的にも好ましい外観が得られる。
【００１４】
好適な実施の一形態として、前記給水手段と連通する流出口が前記内周面の上部全周に沿って形成され、前記流出口から流出する洗浄水を下向きに案内する洗浄水ガイドが前記内周面に沿って配設され、該内周面と前記洗浄水ガイドの下端部との間の隙間が前記洗浄水放出口とされている態様を例示する（請求項５）。この場合、流出口から流出する洗浄水が洗浄水ガイドで洗浄水放出口に向けて下向きに案内される。このため、流出口から流出する洗浄水の水圧が高くても全く問題がない。
【００１５】
なお、前記流出口は、前記内周面の全周に沿って設けられていればよく、相互間に小さな間隔をおいて多数の流出口を配設することとしてもよいし、前記内周面に沿って切れ目なくつながる単一の流出口を配設することとしてもよい（請求項６）。後者の態様とすれば、内周面の全周に隙間なく洗浄水が供給されて好適である。
【００１６】
本発明の他の実施の形態として、次のものも採用可能である。すなわち、排水口を有する底面と、該底面と連続する内周面と、給水手段と連通して前記内周面の全周に沿って配設される洗浄水溜めと、該洗浄水溜めの全周に渡って水平に位置する洗浄水放出口と、前記洗浄水溜めと前記洗浄水放出口とを上方から覆うカバーと、を備え、前記洗浄水放出口から洗浄水が溢れ出て前記内周面を伝って流れ落ちることを特徴とする流し台である（請求項７）。
【図面の簡単な説明】
【００１７】
【図１】本発明の実施の一形態に係る流し台の平面図である。
【図２】図１の流し台のＩＩ矢視図（正面図）である。
【図３】図１の流し台のＩＩＩ矢視図（右側面図）である。
【図４】図１の流し台のＩＶ矢視図（背面図）である。
【図５】図１のＶ−Ｖ矢視断面の端面図である。
【図６】図１のＶＩ−ＶＩ矢視断面の端面図である。
【図７】図５及び図６のＶＩＩ矢視部の拡大図である。
【図８】本発明の他の実施の形態の要部の断面図である。
【図９】本発明の他の実施の形態の要部の断面図である。
【図１０】本発明の他の実施の形態の要部の断面図である。
【図１１】本発明の他の実施の形態の要部の断面図である。
【図１２】本発明の他の実施の形態の要部の断面図である。
【図１３】図１２のＸＩＩＩ−ＸＩＩＩ矢視断面図である。
【発明を実施するための形態】
【００１８】
以下、添付図面を参照して、本発明の実施の形態について説明する。
【００１９】
図１〜図６に示すように、本発明の実施の一形態に係る流し台１は、排水口２を有する底面３と、該底面３と連続する内周面４と、を備える。水道管に連通する蛇口５（図６参照）からの給水により、流し台１内で、手や物品等の対象物を洗浄することができる。流し台１内に供給された水は排水口２から流出し、排水口２に接続される図示しない排水管を通して下水道等へと排出される。流し台１は、ステンレス製、陶器製、磁器製、ガラス製等、種々の用途に応じた材料で作製すればよく、材質にも用途にも限定はない。
【００２０】
図５及び図６に示すように、前記流し台１は、内周面４に洗浄水を供給するための洗浄水放出口６を備える。この洗浄水放出口６は、図１に示すように、給水管路７を介して水道管やポンプ付き洗浄水タンク等の給水手段８と連通する。給水管路７上に設けた操作手段の一例としてのバルブ９を必要に応じて開くことにより、洗浄水放出口６から洗浄水が流出する。給水手段８から供給される洗浄水は、真水のほか、消毒液入りの洗浄水、香料入りの洗浄水等、用途に応じて適宜に決定することができる。例えば、台所、厨房、洗面所等の流し台では水道水を使用し、医療機関の手洗い用又は医療器具洗浄用の流し台では消毒液入りの洗浄水を使用し、ホテルのトイレ等の流し台では香料入りの洗浄水を使用する等である。
【００２１】
本実施の形態では、前記洗浄水放出口６が流し台１の内周面４の上部全周に沿って下向きに形成される。具体的には次の通りである。
【００２２】
図５及び図６に示すように、流し台１の内周面４の外側全周に沿って、洗浄水溜め形成板１０が固着される。図７に拡大して示すように、洗浄水溜め形成板１０は、流し台１の外周面１１の全周に固着される底板部１２と、この底板部１２の外端部から上向きに延びる外板部１３と、この外板部１３の上端から流し台１の内周面４の上縁部４ａを越えて流し台１の内方へと延びる上板部１４と、この上板部１４から下向きに延びる内板部１５と、を備える。その結果、洗浄水溜め形成板１０と流し台１の外周面１１との間に、環状の洗浄水溜め１６が形成される。流し台１の内周面４の上縁部４ａと洗浄水溜め形成板１０の上板部１４との間の隙間が洗浄水の流出口１７である。また、流し台１の内周面４と洗浄水溜め形成板１０の内板部１５の下端との間の隙間が下向きの洗浄水放出口６である。
【００２３】
上板部１４は、洗浄水溜め１６と流出口１７と洗浄水放出口６とを上から覆うカバー（上方カバー）であり、内板部１５は、流出口１７を側方から覆うカバー（側方カバー）である。これらのカバー１４，１５により洗浄水溜め１６と流出口１７と洗浄水放出口６とが覆い隠される。このため、洗浄水放出口６と流出口１７と洗浄水溜め１６へのゴミの入り込みが防止される。また、流し台１の使用者の目から洗浄水溜め１６と流出口１７と洗浄水放出口６とが隠されるので、意匠的にも好ましく、使用者の気分を害してしまう等の問題もない。なお、側方カバーとしての内板部１５は、ゴミの入り込みを確実に防止し、且つ、流出口１７を使用者の目から確実に隠す観点から、流出口１７よりも下方位置まで延びていることが好ましい。また、上板部１４、内板部１５は、外板部１３と一体となっているが、所謂ワークトップと呼ばれるような別部材の天板で構成してもよい。
【００２４】
洗浄水溜め１６は、給水管路７（図１、図４及び図６参照）を介して給水手段８に連通する。図示例では、流し台１の背面側に給水管路７が設けられているが、これには限定されない。洗浄水溜め１６の上縁部、すなわち、図示例では流し台１の内周面４の上縁部４ａは、全周に渡って水平である。このため、洗浄手段８から洗浄水溜め１６へと洗浄水Ｗが供給されると、洗浄水溜め１６に洗浄水Ｗが溜まり、洗浄水Ｗの水位が上がり、やがて、洗浄水溜め１６の上縁部４ａを越えて流出口１７から一斉に洗浄水Ｗが溢れ出る。流出口１７から溢れ出た洗浄水Ｗは、流し台１の内周面４を伝って洗浄水放出口６から流れ落ちる。このため、流し台１の内周面４の全体に洗浄水Ｗが行き渡り、内周面４の汚れがきれいに洗い流される。
【００２５】
なお、流出口１７と洗浄水放出口６は、それぞれ、流し台１の内周面４の全周に沿って設けられていればよく、相互間に小さな間隔をおいて多数の流出口及び洗浄水放出口を配設することとしてもよいし、流し台１の内周面４に沿って切れ目なくつながる単一の流出口１７及び洗浄水放出口６を配設することとしてもよい。後者の態様とすれば、内周面４の全周に隙間なく洗浄水Ｗが供給されて好適である。
【００２６】
洗浄水溜め１６から洗浄水Ｗがどのような態様で流出するかは、洗浄水溜め１６の容量、洗浄水溜め１６に供給される洗浄水Ｗの流量、流出口１７の総面積等に依存して定まる。例えば、図７に示すように、洗浄水溜め１６の容量と流出口１７の総面積とが共に大きい場合であって、洗浄水Ｗの流量がさほど大きくない場合には、流出口１７から洗浄水Ｗが緩やかに溢れ出す。このため、洗浄水Ｗが流し台１の内周面４の上端縁４ａから内周面４を伝って洗浄水放出口６から流れ落ちる。
【００２７】
これに対し、図８に示すように、流出口１７の総面積が小さい場合であって、洗浄水Ｗの流量が大きい場合には、流出口１７から流し台１の内方（矢印Ａ）へと洗浄水Ｗが噴出する。この場合、流出口１７から噴出した洗浄水Ｗは、洗浄水溜め形成板１０の内板部１５に衝突し、下向きに案内される。したがって、この場合の内板部１５は、流出口１７から噴出する洗浄水Ｗを下向きに案内する洗浄水ガイドとして作用する。
【００２８】
なお、図７を参照して既に述べたように、洗浄水溜め１６の容量と流出口１７の総面積とが共に十分大きい場合であって、洗浄水Ｗの流量がさほど大きくない場合には、流出口１７から洗浄水Ｗが緩やかに溢れ出る。このため、洗浄水Ｗが流し台１の内周面４の上端縁４ａから内周面４を伝って流れ落ちる。したがってこの場合、図９に示すように、洗浄水溜め形成板１０の内板部１５を省略することも可能になる。洗浄水溜め形成板１０の上板部１４が流水口１７を越えて流し台１の内方へと庇状に延び出してさえいれば、上板部１４が上方カバーとして作用する。この上方カバー１４は、洗浄水溜め１６と流出口１７とを上方から覆い隠すので、洗浄水溜め１６と流出口１７へのゴミの入り込みが防止される。また、上方カバー１４は、流し台１の使用者の目から洗浄水溜め１６と流出口１７とを隠すので、意匠的にも好ましく、使用者の気分を害してしまう等の問題もない。この場合、流出口１７が洗浄水放出口６を兼ねることになる。
【００２９】
なお、図９の例では、洗浄水放出口６（流水口１７）が横向きである。しかし、前記構成により図７と同様の作用効果が得られるので、本発明の範囲内である。
【００３０】
他の実施の形態として、図１０に示す態様を採用することもできる。すなわち、洗浄水溜め１６が流し台１の内周面４の内側に配設される態様である。この場合、洗浄水溜め形成板１８が樋状に成形され、上板部１９によって流し台１の内周面４の上部の内側に固着される。洗浄水溜め形成板１８の樋状部２０によって洗浄水溜め１６が形成される。この洗浄水溜め１６には、図１と同様に給水管路７を介して給水手段８が連通される。樋状部２０の上向きの自由端縁２０ａと上板部１９との間の隙間が、洗浄水Ｗの流出口１７となる。また、洗浄水溜め形成板１８のうち、流し台１の内周面４と対面する対面板部２１の下端と、流し台１の内周面４と、の間の隙間が、洗浄水放出口６となる。
【００３１】
図１０の例の場合、対面板部２１と流し台１の内周面４との間の隙間が大き過ぎると、流出口１７から溢れ出る洗浄水Ｗが流し台１の内周面４に当たらなくなってしまう。このため、流出口１７から溢れ出る洗浄水Ｗが流し台１の内周面４を伝って流れ落ちるように、対面板部２１と流し台１の内周面４との間の隙間を適宜に設定する。
【００３２】
図１０において、上板部１９は、洗浄水溜め１６と流出口１７と洗浄水放出口６とを上から覆うカバー（上方カバー）である。このカバー１９により洗浄水溜め１６と流出口１７と洗浄水放出口６とが覆い隠される。このため、洗浄水溜め１６と流出口１７と洗浄水放出口６へのゴミの入り込みが防止される。また、流し台１の使用者の目から洗浄水溜め１６と流出口１７と洗浄水放出口６が隠されるので、意匠的にも好ましく、使用者の気分を害してしまう等の問題もない。
【００３３】
図１０の構成において、洗浄水溜め１６の上縁部、すなわち、対面板部２１の上縁部２０ａは、流し台１の内周面４の全周に渡って水平である。このため、洗浄手段８から洗浄水溜め１６へと洗浄水Ｗが供給されると、洗浄水溜め１６に洗浄水Ｗが溜まり、洗浄水Ｗの水位が上がり、やがて、洗浄水溜め１６の上縁部２０ａを越えて流出口１７から一斉に洗浄水Ｗが溢れ出る。流出口１７から溢れ出た洗浄水Ｗは、流し台１の内周面４を伝って洗浄水放出口６から流れ落ちる。このため、流し台１の内周面４の全体に洗浄水Ｗが行き渡り、内周面４の汚れがきれいに洗い流される。
【００３４】
図１０の例においても、流出口１７と洗浄水放出口６は、それぞれ、相互間に小さな間隔をおいて多数配設することとしてもよいし、流し台１の内周面４に沿って切れ目なくつながる単一の流出口１７及び洗浄水放出口６を配設することとしてもよい。後者の態様とすれば、流し台１の内周面４の全周に隙間なく洗浄水Ｗが供給されて好適である。
【００３５】
他の実施の形態として、図１１に示す態様を採用することもできる。すなわち、洗浄水溜めに相当する通水管２２が流し台１の内周面４の上部内側全周に渡って水平に配設される態様である。この場合、洗浄水放出口６は、流し台１の内周面４に近接させて通水管２２の下面に下向きに形成される。洗浄水放出口６は、通水管２２の長さ方向に小さな間隔をおいて多数配設することとしてもよいし、通水管２２の長さ方向に切れ目なくつながる単一の洗浄水放出口としてもよい。
【００３６】
通水管２２には、図１と同様に給水管路７を介して給水手段８が連通される。給水管路７を通して通水管２２に洗浄水Ｗが供給されると、洗浄水Ｗは通水管２２内を行き渡り、洗浄水放出口６から流れ落ちる。洗浄水放出口６から流れ落ちる洗浄水Ｗは、流し台１の内周面４を伝って流れ落ちることで、内周面４を洗浄する。
【００３７】
洗浄水放出口６が通水管２２の下面に設けられているので、洗浄水放出口６から通水管２２内へのゴミの入り込みが防止される。また、流し台１の使用者の目から洗浄水放出口６が見えないので、意匠的にも好ましく、使用者の気分を害してしまう等の問題もない。
【００３８】
図１１の態様は、流し台１の内周面４に通水管２２を後付けすることで作製できるので、既存の流し台をそのまま利用できて好適である。
【００３９】
他の実施の形態として、図１２及び図１３に示す態様も採用可能である。すなわち、図１２及び図１３の例は図８の変形例であり、流し台１の内周面４の上部を打ち抜いて多数の流水口１７を形成したものである。
【符号の説明】
【００４０】
１    流し台
２    排水口
３    底面
４    内周面
４ａ  洗浄水溜めの上縁部
６    洗浄水放出口
８    給水手段
１４  上板部（上方カバー）
１５  内板部（洗浄水ガイド）
１６  洗浄水溜め
１７  流出口
１９  上板部（上方カバー）
２０ａ  洗浄水溜めの上縁部
Ｗ    洗浄水
【図１】
2017082406.tif 000003
【図２】
2017082406.tif 000004
【図３】
2017082406.tif 000005
【図４】
2017082406.tif 000006
【図５】
2017082406.tif 000007
【図６】
2017082406.tif 000008
【図７】
2017082406.tif 000009
【図８】
2017082406.tif 000010
【図９】
2017082406.tif 000011
【図１０】
2017082406.tif 000012
【図１１】
2017082406.tif 000013
【図１２】
2017082406.tif 000014
【図１３】
2017082406.tif 000015